(57)【要約】【課題】着用が容易で、かつ均等に適切なきつさで顔出し用窓周囲を顔面に密着させた耐寒耐水服用フードを提供する。【解決手段】首部分から頭部を覆うように保温性を有する耐水性材料で、着用者の頭部より若干大きめに製造され、かつ前部に顔出し用の窓２３を備えたフード本体２０と、前記フード本体の後部内側に設けられた気体により膨張可能な気嚢２４と、前記気嚢２４に気体を注入可能な気体注入管２５を備えたことを特徴とする。【選択図】図３
2007320391.tif 000002
【特許請求の範囲】
【請求項１】
首部分から頭部を覆うように保温性を有する耐水性材料で、着用者の頭部より若干大きめに製造され、かつ前部に顔出し用の窓を備えたフード本体と、前記フード本体の後部内側に設けられた気体により膨張可能な気嚢と、前記気嚢に気体を注入可能な気体注入管を備えたことを特徴とする耐寒耐水服用フード。
【請求項２】
前記フード本体は耐寒耐水服本体と一体的に製造されており、前記フード本体および耐寒耐水服本体の前面に水密ファスナーが設けられているとともに、前記水密ファスナーは前記顔出し用窓まで伸長していることを特徴とする請求項１記載の耐寒耐水服用フード。
【請求項３】
前記気体注入管は、口に加えて前記気嚢に空気を注入するためのマウス部と前記マウス部よりの空気を前記気嚢に注入するホースとを備えていることを特徴とする請求項１または２記載の耐寒耐水服用フード。
【請求項４】
前記顔出し用窓はシール材で縁取られていることを特徴とする請求項１から３記載のいずれかの耐寒耐水服用フード。
【発明の詳細な説明】
【技術分野】
【０００１】
本発明は耐寒耐水服に使用されるフード、さらに詳細には、低海水温域に着水したときに人命を保護するために使用される耐寒耐水服に使用されるフードに関する。
【背景技術】
【０００２】
海水温度が０℃近辺の低温海域において、飛行機の故障などによる着水事故、落下傘降下あるいは船舶の海難事故、回廊作業中の転落事故などによって入水するような場合においては、このような海水温においても長時間人命が維持できるように耐寒性があり、かつ耐水性の耐寒耐水服が使用されている。
【０００３】
このような耐寒耐水服は、図１に示すように手足を含む首から下全体を覆う一体的に形成された耐寒耐水服本体１を備えており、さらに首から頭部全体を覆うフード２を備えた構造になっている。前記耐寒耐水服本体１は前面に水密ファスナー３を備えており、この水密ファスナー３を開いて、足及び手を前記耐寒耐水服本体１内に入れて、前記水密ファスナー３を閉じることによって着用可能である。
【０００４】
このような耐寒耐水服用のフードとしては、基本的に着用者の頭部から首部を一体的に覆うように立体的に裁断された複数枚の耐寒性及び耐水性を備えた素材を縫製して形成したものが知られている。このようなフード２は、図５に示すように首部より頭部を覆うフード本体２０を備え、前記フード本体２０は首部を覆う首被覆部２１と頭部を覆う頭被覆部２２とを含み、前記頭被覆部２２にはその前面に顔出し用の窓２３を備えている（特開２０００−２３３７９４号公報参照）。
【特許文献１】特開２０００−２３３７９４号公報
【特許文献２】特開平７−２０５８９６号公報
【発明の開示】
【発明が解決しようとする課題】
【０００５】
上述のような耐寒耐水服を着用するに際しては、前述のようなフード２を被り、耐寒耐水服本体１に手足を入れた後、耐寒耐水服本体１の前面に設けられた水密ファスナー３を閉じることによって着用する。この際、前記フード２は伸縮性のある素材で製造されているため、前記首被覆部２１の裾を拡げて頭部を挿入し、小径の首被覆部２１を通過させなければならず、装着するために時間と労力が必要となる。したがって早急に装着することはできない。
【０００６】
また、顔出し用の窓の縁は着用者の顔面に密着して海水等の浸入を防いでいるが、頭の後を回したバンド等ではきつすぎることによる痛みや、均等に締められないことによる海水等の浸入がある。
【０００７】
本発明は、上述の課題を解決するためなされたものであり、着用が容易で、かつ均等に適切なきつさで顔出し用窓周囲を顔面に密着させることを目的とする。
【課題を解決するための手段】
【０００８】
上記課題を解決するため、本発明による耐寒耐水服用フードは、首部分から頭部を覆うように保温性を有する耐水性材料で、着用者の頭部より若干大きめに製造され、かつ前部に顔出し用の窓を備えたフード本体と、前記フード本体の後部内側に設けられた気体により膨張可能な気嚢と、前記気嚢に気体を注入可能な気体注入管を備えたことを特徴とする。
【発明の効果】
【０００９】
本発明による耐寒耐水服用フードによれば、フード本体は着用者の頭部より若干大きめに製造されており、フード本体の後部内側に設けられた気嚢を膨張させることにより、着用者の顔を前記顔出し用窓２３に密着させるようにしたため、着用が容易であり、かつ着用後中に顔面の痛みがなく顔出し用窓周囲を顔面に密着させることができるという利点がある。
【発明を実施するための最良の形態】
【００１０】
本発明による耐寒耐水服用フードは、首部分から頭部を覆うように保温性を有する耐水性材料で、着用者の頭部より若干大きめに製造され、かつ前部に顔出し用の窓を備えたフード本体と、前記フード本体の後部内側に設けられた気体により膨張可能な気嚢と、前記気嚢に気体を注入可能な気体注入管を備えたことを特徴とする。
【００１１】
本発明による好ましい形態においては、前記フード本体は耐寒耐水服本体と一体的に製造されており、前記フード本体および耐寒耐水服本体の前面に水密ファスナーが設けられているとともに、前記水密ファスナーは前記顔出し用窓まで伸長していることを特徴とする。
【００１２】
他の好ましい形態においては、前記気体注入管は、口に加えて前記気嚢に空気を注入するためのマウス部と前記マウス部よりの空気を前記気嚢に注入するホースとを備えていることを特徴とし、前記顔出し用窓はシール材で縁取られていることを特徴とする。
【実施例】
【００１３】
本発明による実施例においては、図１に示すように、手足を含む首から下全体を覆う一体的に形成された耐寒耐水服本体１に、本発明による首部から頭部全体を覆う耐寒耐水性のフード２を一体的に備えた構造になっている。前記耐寒耐水服本体１および耐寒耐水フード２は保温性を有する耐水性材料で製造されており、耐寒及び耐水性を保持するようになっている。
【００１４】
さらに耐寒耐水服本体１およびこの耐寒耐水服本体１と一体的に製造されたフード２は前面に、前記耐寒耐水服本体１とフード２に連通する水密ファスナー３を備えており、この水密ファスナー３を開いて、足及び手を前記耐寒耐水服本体１内に入れ、かつフード２に頭部を入れて前記水密ファスナー３を閉じることによって、着用可能となっている。
【００１５】
本発明によるフード２によれば、図２に示すように、首部分から頭部を覆うように保温性を有する耐水性材料で製造され、かつ前部に顔出し用の窓を備えたフード本体２０を備えており、このフード本体２０の前面には顔出し用の窓２３が設けられている。そして、この窓２３の周縁は、着用者の顔と密着性を向上させ、水の浸入を確実に防止するためシール材２３１によって縁取られている。前記水密ファスナー３はこの顔出し用窓２３まで続いており、フード本体２０は大きく開くことが可能なようになっている。
【００１６】
前記フード本体２０の後部内側には、図３に示すように気体により膨張可能な気嚢２４が設けられており、前記気嚢２４に気体を注入可能な気体注入管２５が前記気嚢２４に連通するように設けられている。このため、気体注入管２５より空気などの気体を注入することによって、気嚢２４を膨張させることができる。
【００１７】
前述の気体注入管２５は、この実施例においては、着用者が口に加えて空気を吹き込むためのマウス部２５１を備え、このマウス部２５１より伸長し、耐寒耐水服本体１よりその内側に挿入され、前記気嚢２４に接続するホース部２５２を備えている。前記マウス部２５１は前記フード本体２０の側面に脱着自在に取り付けられている。
【００１８】
前記フード本体２０は、基本的に伸縮性のある素材で製造されておらず（もちろん伸縮性のある素材であってもよい）、着用者の頭部及び首部より若干大きく製造されている。このためフード本体２０を被り、水密ファスナー３をフード本体２０まで引き上げても、気嚢２４を膨張させる前には、着用者の頭部及び首部は圧迫されることはなく、頭部及び首を楽に回すことが可能である。また着用に際しても、従来のように小径の首被覆部２１を通過させる必要がないため、装着するために時間と労力を必要としない。
【００１９】
上述のようなフード２を使用する場合、前述のように耐寒耐水服本体１及びフード２を装着した後、水密ファスナー３をフード本体２０の顔出し用窓２３まで引き上げる。この後、前記気体注入管２５のマウス部２５１よりホース部２５２を介して前記気嚢２４に空気を吹き込むことによって、前記気嚢２４は膨張し、着用者の頭部を前方に押圧することになる。このため顎部分及び額部分が前記顔出し用窓２３を縁取るシール材２３１に押し付けられて、前記顔出し用窓２３よりの水の浸入を防止することが可能になる（図４参照）。
【００２０】
前述のような気嚢２４は、前述のように着用者の顔を前方に押し出す気嚢を有するものであればいかなる形状であってもよい。たとえば長方形形状であることも可能である。また寸法も限定されるものではない。額から首の付け根までの後方１／３程度までの寸法であってもよい。
【００２１】
この実施例においては、前記気嚢２４への気体の注入は、マニュアルで行っているが、たとえば炭酸ガスボンベを設けておき、水中に入ると同時に前記気嚢２４へ炭酸ガスを注入するようにしてもよい。
【００２２】
また、この実施例においては、本発明による耐寒耐水服用フードは、耐寒耐水服本体１と一体的に構成されているが、これに限定されるものではなく、別体であってもよい。
【産業上の利用可能性】
【００２３】
本発明による耐寒耐水服用フードによれば、フード本体は着用者の頭部より若干大きめに製造されており、フード本体の後部内側に設けられた気嚢を膨張させることにより、着用者の顔を前記顔出し用窓２３に密着させるようにしたため、着用が容易であり、かつ着用時にも疲労を蓄積させることなく、着用後の締め付け力を調節でき、顔出し用窓周囲全体を均等に締め付けることができるという利点がある。
【図面の簡単な説明】
【００２４】
【図１】本発明による耐寒耐水服用フードを使用した耐寒耐水服全体の斜視図。
【図２】本発明による耐寒耐水服用フードの実施例の正面図。
【図３】本発明による耐寒耐水服用フードの実施例の気嚢が膨張していないときの側面図。
【図４】本発明による耐寒耐水服用フードの実施例の気嚢が膨張しているときの側面図。
【図５】従来のフードの正面図。
【符号の説明】
【００２５】
１      耐寒耐水服本体
２      耐寒耐水服用フード
２０      フード本体
２３      顔出し用窓
２３１      シール材
２４      気嚢
２５      気体注入管
２５１      マウス部
２５２      ホース部
３      水密ファスナー
【図１】
2007320391.tif 000003
【図２】
2007320391.tif 000004
【図３】
2007320391.tif 000005
【図４】
2007320391.tif 000006
【図５】
2007320391.tif 000007